(57)【特許請求の範囲】
【請求項１】
外周面が被覆されるように軸スリーブが固定された回転主軸と、
前記軸スリーブの外側に、前記軸スリーブと径方向に所定の間隔をもって配置されたシールボックスと、
周方向に分割された複数個の部材からなる筒状分割構造体と、筒状分割構造体の外周を周回するように配設されて、筒状分割構造体を一体に保持するとともに、筒状分割構造体の内周面を軸スリーブの外周面に密着させる環状スプリングとを備えたセグメントシールと、
前記セグメントシールを回転主軸の軸方向に平行に前記シールボックスに向かって押圧し、セグメントシールの軸方向密封面を、シールボックスの軸方向密封面に面当たりさせる付勢用スプリングと
を具備し、
前記セグメントシールの内周面が前記回転主軸の軸スリーブと摺動することにより軸封が行われるとともに、前記セグメントシールの軸方向密封面がシールボックスの軸方向密封面に面当たりすることによりポンプ内部とのシールが行われるように構成された軸封装置を有する両吸込形横軸ポンプであって、
前記軸スリーブが超硬合金から形成されているか、又は外周面にセラミックコーティングが施された構造を有するものであり、かつ、
前記セグメントシールの、少なくとも前記軸スリーブの外周面と接触する面を含む部分がカーボン材又は樹脂とカーボンとの結合材を用いて形成されていること
を特徴とする無注水軸封装置を備えた両吸込形横軸ポンプ。
【請求項２】
前記シールボックスに取り外し可能な蓋部材を設け、蓋部材を取り外すだけで、前記シールボックスを分解することなく前記セグメントシールが配設されている領域を点検できるようにしたことを特徴とする請求項１記載の無注水軸封装置を備えた両吸込形横軸ポンプ。
【請求項３】
前記シールボックスを開放状態としたことを特徴とする請求項１記載の無注水軸封装置を備えた両吸込形横軸ポンプ。
【発明の詳細な説明】
【技術分野】
【０００１】
本発明は、ポンプ軸シール部への給水を必要とせず、かつ、シール性能を、長期間にわたって高く維持することが可能な無注水軸封装置を備えた両吸込形横軸ポンプに関する。
【背景技術】
【０００２】
河川水の揚水を行う農事用のポンプとしては、例えば、両吸込形横軸ポンプが広く用いられている。
【０００３】
図４は、従来の両吸込形横軸ポンプの概略構造を示す断面図である。この両吸込形横軸ポンプは、吸込口６１及び吐出口６２を備えたケーシング５１，ケーシング５１内に配設された羽根車５２，羽根車５２を回転させる回転主軸５３などを備えており、回転主軸５３には、その外周面を被覆するように軸スリーブ５４が、スリーブナット５５により固定されている。
【０００４】
そして、この両吸込形横軸ポンプにおいては、ランタンリング５６を挟んで、その前後両側にグランドパッキン５７が組み込まれている。
【０００５】
また、グランドパッキン５７が配設されたランタンリング部は、グランドパッキン５７を潤滑し、摺動時の発熱と摩耗を抑えるとともに、大気側からの空気の進入、あるいは大気側への揚水の漏洩を防止することを目的として、グランド注水口５８から注水を行うことができるように構成されており、グランド注水口５８から注水される水としては、ポンプ吐出口６２から吐出される揚水（河川水）、あるいはポンプなどによって圧力を高めた外部水源からの水などが用いられている。
【０００６】
図５は上記両吸込形横軸ポンプＰの運転方法を説明する図である。すなわち、上記両吸込形横軸ポンプＰを用いて水源７１から水を汲み上げる場合、注水ポンプ７２を作動させて水源から水（軸シール水）をグランド注水口５８に供給して軸封を行うとともに、真空ポンプ７３を作動させて真空吸引することにより、水源から吸水して呼び水を行い、ケーシング５１内を水で満たして両吸込形横軸ポンプＰを作動可能な状態とする。
それから、両吸込形横軸ポンプＰを作動させて揚水運転を開始する。そして、定常状態における揚水運転時には、真空ポンプ７３を停止し、注水ポンプ７２から軸シール水を注水し、又は両吸込形横軸ポンプＰから吐出される揚水をグランド注水口５８に供給して軸封を行いつつ、揚水運転を行う。
【０００７】
ところで、このような両吸込形横軸ポンプにおいては、ポンプ吸い込み水面がポンプ軸心より低位にある場合、軸封部から大気が漏れ込むと、ポンプ内や吐出配管内に空気が滞留しポンプ運転に悪影響を与えるという問題点があり、また、グランド部から大気を吸い込むと、呼び水（ポンプ吸込配管内を負圧にして水を吸い上げ、ポンプ内部を満水にすること）を行って、羽根車を水没させることができなくなり、ポンプを正常に作動させることができなくなるという問題点がある。
【０００８】
一方、両吸込形横軸ポンプＰからグランド注水口５８へ揚水を供給するようにした場合にも、揚水にはシルトや砂などが含まれているため乾燥すると固形化するという問題点がある。このような固形化は農事用ポンプの場合に特に起こりやすく、ポンプ内部や配管内に固形物が堆積すると、固着や閉塞により運転が不可能になるという問題点がある。
【０００９】
そこで、図６に示すように、軸表面に軸スリーブ５４が固定された回転主軸５３と、軸スリーブ５４の外周部に径方向に所定の間隙をもって配置されたシールケース５８と、このシールケース５８と軸スリーブ５４との間に配置される、周方向に複数個に分割されたセグメントシール５９とを備え、セグメントシール５９の内周面が回転主軸５３の軸スリーブ５４の外周面と摺動し、軸封を行うように形成されている軸封装置において、軸スリーブ５４の表面を、四ふっ化エチレン樹脂を含浸した超硬合金製の部材で形成し、かつ、セグメントシール５９をセラミックスにて形成するとともに、このセグメントシール５９の摺動面を軸スリーブ５４の摺動面に対して偏芯の円弧形状とした軸封装置が提案されている（例えば、特許文献１参照）。
【００１０】
しかし、この軸封装置においては、軸スリーブ５４の表面が、高価な四ふっ化エチレン樹脂を含浸した超硬合金製の部材から形成されているとともに、セグメントシール５９がセラミックスから形成され、しかも、セグメントシール５９の摺動面が軸スリーブの摺動面に対して偏芯の円弧形状とされているため、加工工程が複雑になり、コストの増大を招くという問題点がある。
【特許文献１】特開平１０−２０５５２６号公報
【発明の開示】
【発明が解決しようとする課題】
【００１１】
本発明は、上記実情を考慮し、軸封部に注水することを必要とせずに、呼び水を確実に行うことが可能で、かつ、シール性能を、長期間にわたって高く維持することが可能な無注水軸封装置を備えた両吸込形横軸ポンプを実現することを課題とする。
【課題を解決するための手段】
【００１２】
上記課題を解決するために、本発明（請求項１）の無注水軸封装置を備えた両吸込形横軸ポンプは、
外周面が被覆されるように軸スリーブが固定された回転主軸と、
前記軸スリーブの外側に、前記軸スリーブと径方向に所定の間隔をもって配置されたシールボックスと、
周方向に分割された複数個の部材からなる筒状分割構造体と、筒状分割構造体の外周を周回するように配設されて、筒状分割構造体を一体に保持するとともに、筒状分割構造体の内周面を軸スリーブの外周面に密着させる環状スプリングとを備えたセグメントシールと、
前記セグメントシールを回転主軸の軸方向に平行に前記シールボックスに向かって押圧し、セグメントシールの軸方向密封面を、シールボックスの軸方向密封面に面当たりさせる付勢用スプリングと
を具備し、
前記セグメントシールの内周面が前記回転主軸の軸スリーブと摺動することにより軸封が行われるとともに、前記セグメントシールの軸方向密封面がシールボックスの軸方向密封面に面当たりすることによりポンプ内部とのシールが行われるように構成された軸封装置を有する両吸込形横軸ポンプであって、
前記軸スリーブが超硬合金から形成されているか、又は外周面にセラミックコーティングが施された構造を有するものであり、かつ、
前記セグメントシールの、少なくとも前記軸スリーブの外周面と接触する面を含む部分がカーボン材又は樹脂とカーボンとの結合材を用いて形成されていること
を特徴としている。
【００１３】
また、請求項２の無注水軸封装置を備えた両吸込形横軸ポンプは、前記シールボックスに取り外し可能な蓋部材を設け、蓋部材を取り外すだけで、前記シールボックスを分解することなく前記セグメントシールが配設されている領域を点検できるようにしたことを特徴としている。
【００１４】
また、請求項３の無注水軸封装置を備えた両吸込形横軸ポンプは、前記シールボックスを開放状態としたことを特徴としている。
【発明の効果】
【００１５】
本発明（請求項１）の無注水軸封装置を備えた両吸込形横軸ポンプは、セグメントシールの内周面を回転主軸の軸スリーブと摺動させることにより軸封を行うとともに、セグメントシールを付勢用スプリングによりシールボックスに向かって押圧し、セグメントシールの軸方向密封面をシールボックスの軸方向密封面と面当たりさせることによりポンプ内部とのシールを行うようにした軸封装置を有する両吸込形横軸ポンプにおいて、軸スリーブを超硬合金から形成するか、又は外周面にセラミックコーティングが施された構造とし、かつ、セグメントシールの、少なくとも軸スリーブの外周面と接触する面を含む部分をカーボン材又は樹脂とカーボンとの結合材を用いて形成するようにしているので、外部からの給水を必要とすることなく、軸スリーブとセグメントシールの摺動時の発熱と摩耗を抑えることが可能になるとともに、大気側からの空気の進入、あるいは大気側への揚水の漏洩を防止することが可能になり、呼び水（ポンプ吸込配管内を負圧にして水を吸い上げ、ポンプ内部を満水にすること）を確実に行うことが可能になる。
すなわち、本発明（請求項１）の無注水軸封装置を備えた両吸込形横軸ポンプによれば、軸スリーブを超硬合金から形成するか、又は外周面にセラミックコーティングが施された構造とし、かつ、セグメントシールの、少なくとも軸スリーブの外周面と接触する面を含む部分をカーボン材又は樹脂とカーボンとの結合材を用いて形成しているので、呼び水を行う際に、大気漏洩を許容範囲内に収めることができる程度にまでセグメントシールを軸スリーブに押し当てた場合にも、摺動による発熱を問題のない程度に抑えることが可能になり、呼び水を確実に行うことが可能になるとともに、揚水運転時においては摩擦による異常な発熱や摩耗、大気側への揚水の漏洩などを防止することが可能になる。したがって、無注水で、温度上昇を所定の範囲内に維持し、良好な摺動面を保ちつつ、安定した運転を行うことが可能になる。
なお、本発明において、軸スリーブとは、文字どおりの軸スリーブに限らず、軸スリーブを回転主軸に固定するためのスリーブナットも含む概念であり、回転主軸の外周面を被覆するように配設される部材を意味する広い概念である。
また、本発明において、軸スリーブに用いられる超硬合金の種類には特別の制約はないが、例えば、ＷＣ−Ｃｏ系、ＷＣ−ＴｉＣ−Ｃｏ系などの超硬合金が好適に用いられる。
また、軸スリーブのセラミックコーティングに用いられるセラミックの種類にも、特別の制約はなく、アルミニウム系、クローム系などの種々のセラミックを用いることが可能である。
また、セグメントシールの、少なくとも軸スリーブの外周面と接触する面を含む部分を形成するカーボン材の種類についても特別の制約はなく、炭素質系、黒鉛質系などの種々のカーボン材を用いることが可能である。また、セグメントシールの、少なくとも軸スリーブの外周面と接触する面を含む部分を形成する材料としては、上述のようなカーボン材と樹脂（例えば、四ふっ化エチレン樹脂）との結合材を用いることも可能である。
【００１６】
また、請求項２の無注水軸封装置を備えた両吸込形横軸ポンプのように、シールボックスに取り外し可能な蓋部材を設けるようにした場合、蓋部材を取り外すだけで、シールボックスを分解することなくセグメントシールが配設されている領域を点検することが可能になり、効率よくメンテナンスを行って、セグメントシールなどを良好な状態に保持することが可能になるともに、異常発生時に速やかに対応することが可能になる。
【００１７】
また、請求項３の無注水軸封装置を備えた両吸込形横軸ポンプのように、シールボックスを開放状態としておくことにより、そのままでセグメントシールの点検や部品の取り替えを行うことができるようになり、極めて効率よくメンテナンスを行って、セグメントシールなどを良好な状態に保持することが可能になるともに、異常発生時に速やかに対応することが可能になる。
【発明を実施するための最良の形態】
【００１８】
以下に本発明の実施例を示して、本発明の特徴とするところをさらに詳しく説明する。
【実施例１】
【００１９】
図１は本発明の一実施例（実施例１）にかかる無注水軸封装置を備えた両吸込形横軸ポンプの要部構成を示す断面図である。
なお、この無注水軸封装置を備えた両吸込形横軸ポンプの全体的な構成は、図４に示した従来の無注水軸封装置を備えた両吸込形横軸ポンプと同様であることから、以下では、本発明の両吸込形横軸ポンプの特徴的な構成に重点を置いて説明する。
【００２０】
図１に示すように、この実施例１の両吸込形横軸ポンプにおいては、ケーシング１内に配設された羽根車（図示せず）を回転させる回転主軸３には、その外周面を被覆するように軸スリーブ４が配設され、スリーブナット５により固定されている。なお、この実施例１の両吸込形横軸ポンプでは、軸スリーブ４をスリーブナット５により固定するようにしているが、以下の説明では、軸スリーブ４とスリーブナット５を一体とみなして「軸スリーブ」４として説明を行う。
【００２１】
また、この実施例１の両吸込形横軸ポンプにおいては、軸スリーブ４と径方向に所定の間隔（隙間）を介して配置されるシールボックス１０と、シールボックス１０と軸スリーブ４の間に配置されるセグメントシール１１と、セグメントシール１１を、シールボックス１０内に保持するように配設されたシールカバー１２により軸封機構部が構成されている。
【００２２】
なお、シールボックス１０は、シールボックス１０を構成する構成部材１０ａ及び１０ｂを備えており、ボルト１７によりシールカバー１２と構成部材１０ａを係合固定することにより、構成部材１０ａ、１０ｂ、セグメントシール１１などが一体に保持されるように構成されている。
【００２３】
また、セグメントシール１１は、周方向に分割された複数個の部材からなる筒状分割構造体１１ａと、筒状分割構造体１１ａの外周を周回するように配設されて、筒状分割構造体１１ａを一体に保持するとともに、筒状分割構造体１１ａの内周面を軸スリーブ４の外周面に密着させる環状スプリング１３とを備えている。
【００２４】
そして、シールボックス１０を構成する構成部材１０ｂの垂直面（軸方向密封面）１４が、セグメントシール１１の一方の垂直面（軸方向密封面）１５と面当たりする当接面となっており、セグメントシール１１を構成部材１０ｂに向かって付勢する付勢用スプリング１６によって、セグメントシール１１の軸方向密封面１５が構成部材１０ｂの垂直面（軸方向密封面）１４に面当たりした状態に保持されるように構成されている。
【００２５】
すなわち、セグメントシール１１は、筒状分割構造体１１ａの内周面が回転主軸３の軸スリーブ４と摺動して軸封を行うとともに、付勢用スプリング１６によってセグメントシール１１の軸方向密封面１５が、シールボックス１０の構成部材１０ｂの垂直面（軸方向密封面）１４に面当たりすることにより、ポンプ内部とのシールを行う機能を果たすように構成されている。
【００２６】
なお、シールボックス１０を構成する構成部材１０ａは、既存の両吸込形横軸ポンプに上述のような軸封装置を取り付けるようにした場合においてアタッチメントの役割をすることになるものであり、ポンプを新規に設計する場合には、構成部材１０ａに相当する構造をケーシング１の端部に持たせることにより、構成部材１０ａを省略することができる。
【００２７】
そして、この実施例１の両吸込形横軸ポンプにおいては、軸スリーブ４として、ステンレス鋼からなる軸スリーブ本体の外周面に、摩耗を防止する目的でセラミックをコーティングした軸スリーブが用いられている。
また、セグメントシール１１を構成する、周方向に分割された複数個の部材からなる筒状分割構造体１１ａは、その内周面を含めて、軸スリーブ４（この実施例１においてセグメントシール１１の内周面が実際に接触するのはスリーブナット５であるが、上述のように、本発明においては、スリーブナット５も軸スリーブ４の一部とみなすようにしている）との摺動特性を向上させる目的でカーボン材により形成されている。
【００２８】
上述のように、この実施例１においては、セグメントシール１１の内周面を回転主軸３の軸スリーブ４と摺動させることにより軸封を行うとともに、セグメントシール１１を付勢用スプリング１６によりシールボックス１０を構成する構成部材１０ｂに向かって押圧し、セグメントシール１１の軸方向密封面１５をシールボックス１０を構成する構成部材１０ｂの軸方向密封面１４に面当たりさせることによりポンプ内部とのシールを行うようにした両吸込形横軸ポンプにおいて、軸スリーブ４の外周面にセラミックコーティングを施すとともに、セグメントシール１１を構成する筒状分割構造体１１ａを、軸スリーブ４の外周面と接触する内周面を含めてカーボン材を用いて形成するようにしているので、外部からの給水を必要とすることなく、軸スリーブ４とセグメントシール１１の摺動時の発熱と摩耗を抑えることが可能になるとともに、大気側からの空気の進入、あるいは大気側への揚水の漏洩を防止することが可能になり、呼び水を確実に行うことが可能になる。
【００２９】
すなわち、軸スリーブ４の外周面にセラミックコーティングを施すとともに、セグメントシール１１の、少なくとも軸スリーブの外周面と接触する面を含む部分をカーボン材を用いて形成しているので、呼び水を行う際に、大気漏洩を許容範囲内に収めることができる程度にまでセグメントシール１１を軸スリーブ４に押し当てた場合にも、摺動による発熱を問題のない程度に抑えることが可能になるため、呼び水を確実に行うことが可能になるとともに、揚水運転時においては摩擦による異常な発熱や摩耗、大気側への揚水の漏洩などを防止することが可能になる。したがって、無注水で、温度上昇を所定の範囲内に維持し、良好な摺動面を保ちつつ、安定した運転を行うことができる。
なお、この実施例１では、セグメントシール１１の、少なくとも軸スリーブの外周面と接触する面を含む部分をカーボン材を用いて形成しているが、樹脂とカーボンとの結合材を用いることも可能であり、その場合にも上記実施例１の場合と同様の効果を得ることができる。
【実施例２】
【００３０】
図２は本発明の他の実施例（実施例２）にかかる無注水軸封装置を備えた両吸込形横軸ポンプの要部を示す図である。
【００３１】
この実施例２の両吸込形横軸ポンプは、シールボックスに取り外し可能な蓋部材２１を設け、蓋部材２１を取り外すだけで、セグメントシール１１が配設されている領域を点検することができるように構成されている。
なお、その他の構成は上記実施例１の場合と同様であることから、重複を避けるためここでは説明を省略する。また、図２において、図１と同一符号を付した部分は、同一又は相当する部分を示している。
【００３２】
上述のように、この実施例２の両吸込形横軸ポンプは、シールボックスに取り外し可能な蓋部材２１を設けているので、蓋部材２１を取り外すだけで、セグメントシール１１が配設されている領域を点検することが可能になり、安定した運転を保持することが可能になるとともに、異常時などにも速やかに対応することが可能になる。
【実施例３】
【００３３】
図３は本発明のさらに他の実施例（実施例３）にかかる無注水軸封装置を備えた両吸込形横軸ポンプの要部を示す図である。
【００３４】
この実施例３の両吸込形横軸ポンプにおいては、シールボックス１０を構成する構成部材１０ａとシールカバー１２との間に筒状のスペーサ３１を配設して、構成部材１０ａとシールカバー１２の間に所定の間隔（距離）を確保するとともに、その内部にボルト１７を通して締め付けることにより、シールカバー１２と構成部材１０ａを係合固定し、かつ、付勢用スプリング１６により、セグメントシール１１をシールボックス１０を構成する構成部材１０ａに向かって押し付けることにより、軸封機構部を構成する各部材が所定の位置に保持されるように構成されており、シールボックス１０の外周側は開放状態とされている。ただし、水漏れがあった場合に周囲への飛散を防止する目的で、簡単なカバーを取り付けることも可能である。
なお、その他の構成は上記実施例１の場合と同様であることから、重複を避けるためここでは説明を省略する。また、図３において、図１と同一符号を付した部分は、同一又は相当する部分を示している。
【００３５】
上述のように、この実施例３では、シールボックス１０の外周側が開放状態とされているため、セグメントシール１１の点検や、セグメントシール１１の部材などの取り替えを容易に行うことが可能で、効率よく安定した運転を保持することができるとともに、異常時などにも速やかに対応することができる。
【００３６】
なお、上記の各実施例では、軸スリーブとして、外周面にセラミックコーティングを施したものを用いているが、超硬合金からなる軸スリーブを用いることも可能であり、その場合にも同様の効果を得ることができる。
【００３７】
また、本発明は、上記各実施例に限定されるものではなく、軸スリーブや回転主軸の具体的な構造、シールボックスやセグメントシールの構成、セラミックコーティングに用いられるセラミックの種類、セグメントシールを構成するカーボン材、樹脂とカーボンとの結合材の種類や物性、シールボックスに配設される蓋部材の形状や取り付け構造、シールボックスを開放状態にするための具体的な構成などに関し、発明の範囲内において、種々の応用、変形を加えることが可能である。
【産業上の利用可能性】
【００３８】
本発明の無注水軸封装置を備えた両吸込形横軸ポンプは、軸スリーブの外周面にセラミックコーティングを施すとともに、セグメントシールの軸スリーブの外周面と接触する面を含む部分を、カーボン材又は樹脂とカーボン材との結合材を用いて形成するようにしているので、呼び水時の大気漏洩が許容範囲に収まる程度にまでセグメントシールを軸スリーブに押し当てるようにした場合にも、摺動による発熱を許容範囲内に抑えることが可能になるため、呼び水を確実に行うことが可能になるとともに、揚水運転時においては摩擦による異常な発熱や摩耗を抑制することが可能になる。したがって、本発明の無注水軸封装置を備えた両吸込形横軸ポンプは、河川水の揚水を行う農事用のポンプなどに広く利用することが可能である。
【図面の簡単な説明】
【００３９】
【図１】本発明の一実施例（実施例１）にかかる無注水軸封装置を備えた両吸込形横軸ポンプの要部を示す断面図である。
【図２】本発明の他の実施例（実施例２）にかかる無注水軸封装置を備えた両吸込形横軸ポンプの要部を示す断面図である。
【図３】本発明のさらに他の実施例（実施例３）にかかる無注水軸封装置を備えた両吸込形横軸ポンプの要部を示す断面図である。
【図４】従来の両吸込形横軸ポンプの構造を示す断面図である。
【図５】従来の両吸込形横軸ポンプの運転方法を説明する図である。
【図６】従来の軸封装置を示す断面図である。
【符号の説明】
【００４０】
１      ケーシング
３      回転主軸
４      軸スリーブ
５      スリーブナット
１０    シールボックス
１０ａ，１０ｂ    シールボックスを構成する構成部材
１１    セグメントシール
１１ａ  筒状分割構造体
１２    シールカバー
１３    環状スプリング
１４    シールボックスを構成する構成部材の垂直面（軸方向密封面）
１５    セグメントシールの軸方向密封面（一方の垂直面）
１６    付勢用スプリング
１７    ボルト
２１    蓋部材
３１    スペーサ
【図１】
0004646104.tif 000002
【図２】
0004646104.tif 000003
【図３】
0004646104.tif 000004
【図４】
0004646104.tif 000005
【図５】
0004646104.tif 000006
【図６】
0004646104.tif 000007